(57)【要約】【課題】炊飯器本体の上面を覆い鍋を保持する上枠の上面にカバーを設けた炊飯器において、外部から流入した水が炊飯器本体内部に飛散することなく、確実に、安全に炊飯器本体の外部へ排出できるようにし、万一の水浸入時における信頼性を向上するとともに、内部構成の設計自由度が高まり、製品の小型化を可能にする。【解決手段】炊飯器本体１内に鍋を着脱自在に収納するとともに、炊飯器本体１の上方を蓋体により覆い、炊飯器本体１の上面を鍋を保持する上枠４で覆い、上枠４の上面に金属製カバー５を設ける。炊飯器本体１と金属製カバー５は、金属製カバー５に設けた嵌合爪６と炊飯器本体１に設けた挿入穴７により固定し、挿入穴７周囲に外部から浸入した水が炊飯器本体１内部に飛散するのを防止するカバー部材８を配設する。【選択図】図１
2005143536.tif 000002
【特許請求の範囲】
【請求項１】
炊飯器本体と、前記炊飯器本体の上方を覆う蓋体と、前記炊飯器本体内に着脱自在に収納される鍋と、前記炊飯器本体の上面を覆い前記鍋を保持する上枠と、前記上枠の上面に設けた金属製カバーとを備え、前記炊飯器本体と金属製カバーは、金属製カバーに設けた嵌合爪と炊飯器本体に設けた挿入穴により固定し、前記挿入穴周囲に外部から浸入した水が炊飯器本体内部に飛散するのを防止するカバー部材を配設した炊飯器。
【請求項２】
嵌合爪は、製品の中心方向に向かって折り曲げることにより固定するよう構成した請求項１記載の炊飯器。
【請求項３】
カバー部材は、上枠と一体に形成した請求項１記載の炊飯器。
【請求項４】
炊飯器本体の挿入穴の嵌合爪の折り曲げ方向に嵌合爪受部を設け、前記嵌合爪受部は、嵌合爪が９０度以上折り曲げ可能に傾斜面を有する請求項１または２記載の炊飯器。
【請求項５】
カバー部材は、先端に炊飯器本体の内壁と嵌合する嵌合部を設けた請求項１記載の炊飯器。
【発明の詳細な説明】
【技術分野】
【０００１】
本発明は、炊飯器本体の上面を覆い鍋を保持する上枠の上面にカバーを設けた炊飯器に関するものである。
【背景技術】
【０００２】
従来、この種の炊飯器は、上面開口部を有する炊飯器本体に鍋を着脱自在に内包し、炊飯器本体の略平坦部開口上面には、鍋フランジに対向する立ち上がり環状リングと、蓋を軸支する後方ヒンジ立ち上がり壁とを設け、炊飯器本体の上面開口部を上方よりかぶせてなる環状リングを含む開口上面の大部分を覆う第１のカバーと、第１のカバーの合わせ部を介してかぶせるヒンジ立ち上がり壁を覆う第２のカバーを有する構成のものが提案されている（例えば、特許文献１参照）。
【０００３】
この構成においては、第１のカバーの外周部にはつめの折り曲げ部を設けており、炊飯器本体の上面開口部の外周部には、第１のカバーに数箇所配設しているつめ折り曲げ部と同数個の挿入穴が設けている。
【０００４】
第１のカバーを固定するには、挿入穴につめ折り曲げ部を上方より挿入した後、治具などを用いて、つめ折り曲げ部を曲げ、炊飯器本体の上面開口部に完全に固定すめようにしている。
【特許文献１】特開２００２−２７２５９７号公報
【発明の開示】
【発明が解決しようとする課題】
【０００５】
しかしながら、このような従来の構成では、第１のカバーと炊飯器本体との隙間を完全になくすことはできないため、通常の使用では皆無であるが、炊飯器本体の上面に設けた挿入穴から水が流入する可能性を完全になくすことはできない。このため、例えば、異常使用時等における挿入穴からの水浸入に対しては、内部構成を工夫することで対応している。しかしながら、内部構造で水対策することは、構成上の制約が要求されることとなり、製品の小型化や設計の自由度を阻害することとなる。
【０００６】
本発明は上記従来の課題を解決するもので、外部から流入した水が炊飯器本体内部に飛散することなく、確実に、安全に炊飯器本体の外部へ排出できるようにし、万一の水浸入時における信頼性を向上するとともに、内部構成の設計自由度が高まり、製品の小型化を可能にすることを目的としている。
【課題を解決するための手段】
【０００７】
本発明は上記目的を達成するために、炊飯器本体内に鍋を着脱自在に収納するとともに、炊飯器本体の上方を蓋体により覆い、炊飯器本体の上面を鍋を保持する上枠で覆い、上枠の上面に金属製カバーを設け、炊飯器本体と金属製カバーは、金属製カバーに設けた嵌合爪と炊飯器本体に設けた挿入穴により固定し、挿入穴周囲に外部から浸入した水が炊飯器本体内部に飛散するのを防止するカバー部材を配設したものである。
【０００８】
これにより、外部から流入した水が炊飯器本体内部に飛散することなく、確実に、安全に炊飯器本体の外部へ排出することができ、万一の水浸入時における信頼性を向上することができるとともに、内部構成の設計自由度が高まり、製品の小型化を可能にすることができる。
【発明の効果】
【０００９】
本発明の炊飯器は、外部から流入した水が炊飯器本体内部に飛散することなく、確実に、安全に炊飯器本体の外部へ排出することができ、万一の水浸入時における信頼性を向上することができるとともに、内部構成の設計自由度が高まり、製品の小型化を可能にすることができる。
【発明を実施するための最良の形態】
【００１０】
第１の発明は、炊飯器本体と、前記炊飯器本体の上方を覆う蓋体と、前記炊飯器本体内に着脱自在に収納される鍋と、前記炊飯器本体の上面を覆い前記鍋を保持する上枠と、前記上枠の上面に設けた金属製カバーとを備え、前記炊飯器本体と金属製カバーは、金属製カバーに設けた嵌合爪と炊飯器本体に設けた挿入穴により固定し、前記挿入穴周囲に外部から浸入した水が炊飯器本体内部に飛散するのを防止するカバー部材を配設したものであり、外部より挿入穴から流入した水が炊飯器本体内部に飛散することなく、確実に、安全に炊飯器本体の外部へ排出することができ、万一の水浸入時における信頼性を向上することができるとともに、内部構成の設計自由度が高まり、製品の小型化を可能にすることができる。
【００１１】
第２の発明は、上記第１の発明において、嵌合爪は、製品の中心方向に向かって折り曲げることにより固定するよう構成したものであり、金属製カバーの浮き上がりを防止することができ、水が浸入する隙間を生じにくくすることができる。
【００１２】
第３の発明は、上記第１の発明において、カバー部材は、上枠と一体に形成したものであり、カバー部材の取付け部からの水の浸入を防止できるとともに、部品点数を削減し、組立工数を削減することができる。
【００１３】
第４の発明は、上記第１または第２の発明において、炊飯器本体の挿入穴の嵌合爪の折り曲げ方向に嵌合爪受部を設け、前記嵌合爪受部は、嵌合爪が９０度以上折り曲げ可能に傾斜面を有するものであり、嵌合爪かしめ後の金属製カバーの浮きを防止することができ、水が浸入する隙間を生じにくくすることができるとともに、隙間に対する外観品位の確保が可能となり、生産過程での外観隙間不良を削減することができ、製品の歩留まりを改善できるとともに、生産性を向上することができる。
【００１４】
第５の発明は、上記第１の発明において、カバー部材は、先端に炊飯器本体の内壁と嵌合する嵌合部を設けたものであり、炊飯器本体と上枠の段差を規制でき、外観品位を向上することができるとともに、金型構造の簡素化を図ることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における炊飯器の断面図であり、図２〜４は、本発明の第１の実施の形態における炊飯器の要部断面図を示すものである。
【００１７】
図１に示すように、炊飯器本体１は上面に開口部を有し、この上面開口部を蓋体２で開閉自在に覆っている。炊飯器本体１の内部に鍋３を着脱自在に収納している。上枠４は炊飯器本体１の上面開口部を覆い、鍋３を保持するようにしている。また、上枠４の上面に金属製カバー５を設け、手入れ性を向上するようにしている。
【００１８】
金属製カバー５の端面外周部は、図２に示すように、ヘミング加工により折り返されており、金属の端面が露出することを防止し、使用時のエッジによる怪我を防止し、安全性を確保している。金属製カバー５の外周から、ヘミング加工の厚み寸法の半分以上内側に入った所には、嵌合爪６を設けており、金属製カバー５の固定は、嵌合爪６を上枠４の上面外周付近に設けた挿入穴７に差込み、嵌合爪６を折り曲げることにより上枠４に固定する構成となっている。
【００１９】
ここで、挿入穴７の下面には、かしめた嵌合爪６を囲うように、外向きの開口部を有する箱状のカバー部材８を設けており、カバー部材８の下面は、外側に向かって下向きの勾配をもつ傾斜面により構成している。
【００２０】
また、金属製カバー５のかしめは、嵌合爪６を挿入穴７に挿入した後、突出した爪部を、治具などを用いて製品外側から内側に向けて折り曲げることによってかしめている。嵌合爪６に対して、前述のように製品外側から内側に向けて折り曲げ力を加えたときには、嵌合爪６が挿入穴７の内側壁下端と接触している部分が支点となり、金属製カバー５の外周は作用点となることにより、金属製カバー５の外周部には上枠４に圧着される方向に付勢力が作用するため、かしめ後の金属製カバー５と上枠４の隙間を安定して小さくすることができ、隙間から水が浸入外観品位を向上することができる。
【００２１】
また、カバー部材８は、上枠４と一体に形成した構成としており、挿入穴７から浸入した水が、カバー部材８と上枠４の取付け隙間から炊飯器本体１内に水が流入し、飛散するのを防止できるため、機器の安全性を高めることができると同時に、部品点数を削減できるとともに、組立て工数を削減することができる。
【００２２】
上枠４の下面外周部には、図３に示すように、炊飯器本体１との嵌合溝９を設けており、炊飯器本体１の上部開口部外周には嵌合リブ１１を設けている。上枠４の嵌合溝９内周の延長付近には、図４に示すように、部分的に係止爪１０を数箇所設けており、炊飯器本体１の内壁の係止爪１０と対向する位置には、爪受け１２を設けている。
【００２３】
製品の外観品位の観点からみると、径方向では上枠４が炊飯器本体１に対して、若干凸となり、上下方向では隙間のないことが望ましいが、上記構成によれば、組立時には炊飯器本体１の嵌合リブ１１が上枠４の嵌合溝９にセットされることで、製品の径方向において、炊飯器本体１が上枠４より凸となることや、外周の波打ち現象を規制し、また、係止爪１０と爪受け１２が係合することにより、上枠４と炊飯器本体１の上下方向の隙間を規制することにより、炊飯器本体１と上枠４の嵌合部の段差や隙間が必要以上に大きくなるのを防止しており、商品としての外観品位を高める構成となっている。
【００２４】
ここで、図２を参照しながら、上記構成における炊飯器本体１に流入した水の経路を説明する。金属製カバー５と上枠４上面の隙間より浸入した水は、上枠４に設けた挿入穴７より炊飯器本体１内部に流入する。炊飯器本体１内部に流入した水は、カバー部材８の下面の勾配により炊飯器本体１とカバー部材８の隙間に集められる。ここで、カバー部材８と炊飯器本体１の内壁との隙間を、水滴の大きさよりも小さく（例えば、１．５ｍｍ以下）設定することにより、カバー部材８と炊飯器本体１内壁の隙間の集められた水は、炊飯器本体１の内部に飛散することなく、水の表面張力により確実に炊飯器本体１内壁を伝って流れ落ち、炊飯器本体１の底部に設けた水抜き穴（図示せず）により安全に外部へ排出される。
【００２５】
以上のように、本実施の形態においては、炊飯器本体１と金属製カバー５は、金属製カバー５に設けた嵌合爪６と炊飯器本体１に設けた挿入穴７により固定し、挿入穴７周囲に外部から浸入した水が炊飯器本体１内部に飛散するのを防止するカバー部材８を配設したので、外部より挿入穴７から流入した水が炊飯器本体１内部に飛散することなく、確実に、安全に炊飯器本体１の外部へ排出することができ、万一の水浸入時における信頼性を向上することができるとともに、内部構成の設計自由度が高まり、製品の小型化を可能にすることができる。
【００２６】
また、嵌合爪６は、製品の中心方向に向かって折り曲げることにより固定するよう構成したので、金属製カバー５の浮き上がりを防止することができ、水が浸入する隙間を生じにくくすることができる。
【００２７】
また、カバー部材８は、上枠４と一体に形成したので、カバー部材８の取付け部からの水の浸入を防止できるとともに、部品点数を削減し、組立工数を削減することができる。
【００２８】
（実施の形態２）
図５は、本発明第２の実施の形態における炊飯器の要部断面図を示すものである。実施の形態１と同一の部分は同一の符号を付して説明を省略し、相違点のみについて説明する。
【００２９】
図５に示すように、嵌合爪受部１３は、上枠４の挿入穴７の嵌合爪６の折り曲げ方向に設けており、この嵌合爪受部１３は、上枠４の外周から内部に向かって上方に傾斜した面を有している。嵌合爪６の折り曲げ角度が、かしめ後のスプリングバックなどによって９０度より小さくなると、嵌合爪６のかしめ部は挿入穴７に対して、抜け方向、すなわち上向きの力に対しては、掛かりが逃げる方向となるため、かしめ部の保持力が低下する。
【００３０】
したがって、かしめ時には金属製カバー５と上枠４に隙間が生じないように、両者を密着保持してかしめるが、かしめ部に外力を加えられた場合や、金属製カバー５と上枠４の平面度に差があるため、かしめ後に金属製カバー５と上枠４の間に反発力が生じるような場合には、かしめ部の保持力が低いと、金属製カバー５と上枠４の間に隙間が生じることとなる。一方、嵌合爪６の折り曲げ角度が９０度以上であると、上向きの力に対して爪部は掛かり方向となり、かしめ部の保持力は低下しない。
【００３１】
そこで、前述の構成の通り、嵌合爪受部１３に、スプリングバックを考慮した上で、かしめ後も９０度以上の折り曲げ角度が確保できるだけの傾斜面を設けることにより、かしめ後におけるかしめ部の保持力が高くなり、外力や部品の平面度の違いによって生じる反発力に対しても、かしめがあまくなり、金属製カバー５と上枠４の隙間が生じる現象を改善することができるため、金属製カバー５と上枠４の隙間から水が入る可能性を少なくでき、より安全性を高めることができるとともに、外観品位を高めることができる。また、ものづくりにおいては、かしめ工程における隙間不良によるロスを削減することができる。
【００３２】
また、カバー部材８の先端には、炊飯器本体１の爪受け１４と嵌合するように、係止爪（嵌合部）１５を設けている。カバー部材８を上枠４と一体に形成した構成においては、金型構造上、カバー部材８形成部と係合爪１５形成部には嵌合溝９が形成できない。
【００３３】
したがって、前述のように嵌合溝９と嵌合リブ１１が嵌まり合うことによる炊飯器本体１と上枠４の径方向の位置規制ができず、炊飯器本体１が上枠４より凸となる場合や外周の波打ち現象があるため、外観品位を確保する上では、可能な限り嵌合溝９を長くし、嵌合溝９が形成できない範囲を小さくすることが望ましい。
【００３４】
そこで、係止爪１５とカバー部材８を別個に設けるのではなく、同一箇所にて構成することにより、嵌合溝９が形成できない範囲を狭くすることが可能となり、製品の径方向における位置規制可能範囲が広くなり、炊飯器本体１が上枠４よりも凸になる現象や、外周の波打ち現象を軽減することが可能となり、外観品位を向上することができる。
【００３５】
以上のように、本実施の形態においては、炊飯器本体１の挿入穴７の嵌合爪６の折り曲げ方向に嵌合爪受部１３を設け、嵌合爪受部１３は、嵌合爪６が９０度以上折り曲げ可能に傾斜面を有するので、嵌合爪６かしめ後の金属製カバー５の浮きを防止することができ、水が浸入する隙間を生じにくくすることができるとともに、隙間に対する外観品位の確保が可能となり、生産過程での外観隙間不良を削減することができ、製品の歩留まりを改善できるとともに、生産性を向上することができる。
【００３６】
また、カバー部材８は、先端に炊飯器本体１の内壁と嵌合する係止爪１５を設けたので、炊飯器本体１と上枠４の段差を規制でき、外観品位を向上することができるとともに、金型構造の簡素化を図ることができる。
【産業上の利用可能性】
【００３７】
以上のように、本発明にかかる炊飯器は、外部から流入した水が炊飯器本体内部に飛散することなく、確実に、安全に炊飯器本体の外部へ排出することができ、万一の水浸入時における信頼性を向上することができるとともに、内部構成の設計自由度が高まり、製品の小型化を可能にすることができるので、炊飯器本体の上面を覆い鍋を保持する上枠の上面にカバーを設けた炊飯器として有用である。
【図面の簡単な説明】
【００３８】
【図１】本発明の実施の形態１における炊飯器の要部断面図
【図２】同炊飯器の断面図
【図３】同炊飯器の要部断面図
【図４】同炊飯器の要部断面図
【図５】本発明の実施の形態２における炊飯器の要部断面図
【符号の説明】
【００３９】
１  炊飯器本体
２  蓋体
３  鍋
４  上枠
５  金属製カバー
６  嵌合爪
７  挿入穴
８  カバー部材
【図１】
2005143536.tif 000003
【図２】
2005143536.tif 000004
【図３】
2005143536.tif 000005
【図４】
2005143536.tif 000006
【図５】
2005143536.tif 000007